(57)【要約】【課題】軒先の外観品質を向上させることができる庇パラペットおよび庇パラペットの交換方法を提供する。【解決手段】屋根材の軒先の下方に配置された梁には、複数のアームが前方へ延設されており、各アームの先端部には、それぞれ固定ブラケットが固定されている。これらの固定ブラケットには複数の既存の庇パラペットが並列して取り付けられている。これらの既存の庇パラペットを交換するときに使用される庇パラペット１には、固定ブラケット１０４への取り付け位置を調整する位置調整部３０が設けられている。【選択図】図３
2015190118.tif 000002
【特許請求の範囲】
【請求項１】
屋根材の軒先の下方に当該軒先に沿うように梁が配置され、当該梁から複数のアームが前方へ延設され、各アームの先端部に固定ブラケットが固定され、これらの固定ブラケットに並列して取り付けられている複数の既存の庇パラペットを交換するときに使用される庇パラペットにおいて、
前記庇パラペットに、前記固定ブラケットへの取り付け位置を調整する位置調整部を設けたことを特徴とする庇パラペット。
【請求項２】
請求項１に記載の庇パラペットにおいて、
前記位置調整部を、前記庇パラペットを前記固定ブラケットに取り付ける部分と別体にしたことを特徴とする庇パラペット。
【請求項３】
請求項１または請求項２に記載の庇パラペットにおいて、
前記庇パラペットは、上下に分割された庇パラペット上部材と庇パラペット下部材とから形成され、前記庇パラペット下部材に前記位置調整部を設けたことを特徴とする庇パラペット。
【請求項４】
屋根材の軒先の下方に当該軒先に沿うように梁が配置され、当該梁から複数のアームが前方へ延設され、各アームの先端部に固定ブラケットが固定され、これらの固定ブラケットに並列して取り付けられている複数の既存の庇パラペットを交換するときに使用される庇パラペットの交換方法において、
前記庇パラペットに請求項１〜請求項３のいずれか１項に記載の庇パラペットを使用し、当該庇パラペットの位置調整部で前記固定ブラケットへの取り付け位置を調整した後に当該庇パラペットを前記固定ブラケットに取り付けることを特徴とする庇パラペットの交換方法。
【発明の詳細な説明】
【技術分野】
【０００１】
本発明は、庇パラペットおよび庇パラペットの交換方法に関する。
【背景技術】
【０００２】
従来から建物の屋上等には、屋根材の軒先の鼻隠し部分に複数の庇パラペットが並列して設けられている（特許文献１−３参照）。軒先の下方には梁が軒先に沿うように配置されており、この梁には複数のアームが前方へ延設されている。各庇パラペットは、この複数のアームの先端部にそれぞれ固定された複数の固定ブラケットを介して取り付けられている。
【先行技術文献】
【特許文献】
【０００３】
【特許文献１】特開２００２−１０６１２９号公報
【特許文献２】実開平６−４４８９８号公報
【特許文献３】特開２００２−１０６１２８号公報
【発明の概要】
【発明が解決しようとする課題】
【０００４】
しかしながら、従来の庇パラペットでは、庇パラペットを固定ブラケットに取り付けたときに、隣接する庇パラペットの目地（継ぎ目）の間隔や並びにばらつきが生じてしまい、軒先の外観品質が損なわれてしまう問題がある。
【０００５】
本発明は、このような従来の課題に鑑みてなされたものであり、軒先の外観品質を向上させることができる庇パラペットおよび庇パラペットの交換方法を提供することを目的とする。
【課題を解決するための手段】
【０００６】
本発明者等は、鋭意研究の結果、前記課題を解決するために以下のような庇パラペットおよび庇パラペットの交換方法を採用した。
【０００７】
本発明の庇パラペットは、屋根材の軒先の下方に当該軒先に沿うように梁が配置され、当該梁から複数のアームが前方へ延設され、各アームの先端部に固定ブラケットが固定され、これらの固定ブラケットに並列して取り付けられている複数の既存の庇パラペットを交換するときに使用される庇パラペットにおいて、
前記庇パラペットに、前記固定ブラケットへの取り付け位置を調整する位置調整部を設けたことを特徴とする。
【０００８】
また、本発明の庇パラペットは、前記位置調整部を、前記庇パラペットを前記固定ブラケットに取り付ける部分と別体にすることが好ましい。
【０００９】
また、本発明の庇パラペットは、上下に分割された庇パラペット上部材と庇パラペット下部材とから形成され、前記庇パラペット下部材に前記位置調整部を設けることが好ましい。
【００１０】
また、本発明の庇パラペットの交換方法は、屋根材の軒先の下方に当該軒先に沿うように梁が配置され、当該梁から複数のアームが前方へ延設され、各アームの先端部に固定ブラケットが固定され、これらの固定ブラケットに並列して取り付けられている複数の既存の庇パラペットを交換するときに使用される庇パラペットの交換方法において、
前記庇パラペットに本発明の庇パラペットを使用し、当該庇パラペットの位置調整部で前記固定ブラケットへの取り付け位置を調整した後に当該庇パラペットを前記固定ブラケットに取り付けることを特徴とする。
【発明の効果】
【００１１】
本発明では、庇パラペットに、固定ブラケットへの取り付け位置を調整する位置調整部を設けた。このため、庇パラペットを固定ブラケットに取り付ける際には位置調整部で取り付け位置を調整することにより、隣接する庇パラペットの目地の間隔や並びにばらつきが生じるのが抑えられる。よって、本発明は、軒先の外観品質を向上させることができる。
【図面の簡単な説明】
【００１２】
【図１】本発明の一実施の形態の庇パラペットの交換後の軒先構造の断面図である。
【図２】同実施の形態の庇パラペットの交換前の軒先構造の斜視図である。
【図３】同実施の形態の庇パラペットの分解斜視図である。
【図４】同実施の形態の庇パラペットの分解側面図である。
【図５】同実施の形態の庇パラペットの交換方法を示すフローチャートである。
【図６】同実施の形態の庇パラペット下部材の取り付け場所の手順を示す説明図である。
【図７】同実施の形態の庇パラペット下部材の仮取り付けの方法を示す説明図である。
【図８】同実施の形態の庇パラペット下部材の取り付け位置の調整方法を示す説明図である。
【図９】同実施の形態の庇パラペット下部材の本取り付けの方法を示す説明図である。
【図１０】同実施の形態の庇パラペット上部材の取り付け方法を示す説明図である。
【発明を実施するための形態】
【００１３】
以下、本発明の実施の形態を図にしたがって説明する。
【００１４】
図１は、本発明の一実施の形態の軒先構造の断面図である。この軒先構造は、庇パラペットの交換後を示すものである。ここでは、軒先構造の全体的な構成を説明する。この軒先構造は、建物の上部に設けられた屋根材１０１の軒先の下方に梁１０２が軒先に沿うように配置されている。梁１０２には、複数のアーム１０３の後端部が固定されている。
【００１５】
複数のアーム１０３は、梁１０２と平行に並んで配置されており、それぞれ梁１０２から前方へ延びて形成されている。各アーム１０３の先端部には、それぞれ固定ブラケット１０４が固定されている。これらの固定ブラケット１０４には、本発明の庇パラペット１が複数並列して取り付けられている。また、隣接する庇パラペット１，１は、接続部材であるジョイナー４０（図７参照）を介して接続されている。
【００１６】
固定ブラケット１０４と梁１０２との間には、軒樋１０６が梁１０２と平行に配置されている。この軒樋１０６は、各アーム１０３の上面に取り付けられている。軒樋１０６の下部には縦樋１０７が接続されている。
【００１７】
アーム１０３の下面には、軒天井１０８が取り付けられている。庇パラペット１と梁１０２との間口には、カバー１０９が取り付けられている。このカバー１０９は、雪やゴミ等を受け止めて、雪やゴミ等が軒樋１０６内に入らないようにするものである。
【００１８】
図２は、庇パラペットの交換前の軒先構造の斜視図である。この軒先構造は、固定ブラケット１０４に既存の庇パラペット１１０が取り付けられている。
【００１９】
アーム１０３は、前述したように梁１０２（図１参照）から前方へ延設され、左方に開口した断面コ字状の板状に形成されている。
【００２０】
固定ブラケット１０４は、左側面でアーム１０３の先端部（前端部）に固定されている。この固定ブラケット１０４は板状に形成されている。
【００２１】
固定ブラケット１０４の前面１０４ａは屈曲して形成されている。この前面１０４ａは、固定ブラケット１０４の上面１０４ｂの前端から前方に斜めに形成された上斜面１４１ａと、上斜面１４１ａの下端から後方に斜めに形成された下斜面１４２ａとを備えている。
【００２２】
固定ブラケット１０４の上面１０４ｂには、板状の取り付け金具１４０が取り付けられている。この取り付け金具１４０は、既存の庇パラペット１１０や本発明の庇パラペット１を固定ブラケット１０４に取り付けるためのものである。
【００２３】
次に、図３と図４を用いて本発明の庇パラペット１の構造を説明する。この庇パラペット１は、上下に分割された板状の庇パラペット上部材１０と板状の庇パラペット下部材２０とから形成されている。庇パラペット下部材２０には、本発明の位置調整部３０が設けられている。
【００２４】
庇パラペット下部材２０は、上下に分割された庇パラペット第１下部材２１と、庇パラペット第２下部材２２とから形成されている。庇パラペット第１下部材２１と庇パラペット第２下部材２２は、工場にて複数のリベット２０ａにより結合されて一体化されている。
【００２５】
庇パラペット第２下部材２２は、庇パラペット下部材２０の下半部を形成している。この庇パラペット第２下部材２２はＬ字状に屈曲され、図１に示すように各固定ブラケット１０４の前面１０４ａの下斜面１４２ａと底面１０４ｃに面接するように形成されている。
【００２６】
図３と図４に示すように庇パラペット第２下部材２２の底部２２ｂには、各固定ブラケット１０４に取り付けるための取り付け部２２ｃが凹状に形成されている。庇パラペット第２下部材２２の上部２２ａは内側に屈曲されて上方に延びており、庇パラペット第１下部材２１との結合部分となっている。
【００２７】
庇パラペット第１下部材２１は、庇パラペット下部材２０の上半部を形成している。この庇パラペット第１下部材２１の中間部分２１ｃは、図１に示すように固定ブラケット１０４の前面１０４ａの上斜面１４１ａの中間部分と離間して前方に膨出して形成されている。
【００２８】
庇パラペット第１下部材２１の下端部２１ｂは、中間部分２１ｃの下端から上方へＬ字状に屈曲され、庇パラペット第２下部材２２の上部２２ａにリベット２０ａで結合されている。庇パラペット第１下部材２１の上端部２１ａは、中間部分２１ｃの上端から上方へ延びて形成されている。この上端部２１ａには位置調整部３０が取り付けられている。
【００２９】
位置調整部３０は、庇パラペット第１下部材２１の上端部２１ａの裏面に取り付けられた仮止め用金具３１と、仮止め用金具３１を固定ブラケット１０４に仮止めするための仮止め用ビス３２とを備えている。仮止め用金具３１には、仮止め用ビス３２を通す長穴３１ａが設けられている。この長穴３１ａは、仮止め用ビス３２よりも左右に長く形成されている。
【００３０】
庇パラペット上部材１０は、図１と図３に示すように、庇パラペット第１下部材２１の中間部分２１ｃの上部２１０ｃおよび上端部２１ａと、仮止め用金具３１と、各固定ブラケット１０４の前面１０４ａの上斜面１４１ａの上部とを覆って取り付け金具１４０に取り付けられるように逆Ｌ字状に形成されている。
【００３１】
庇パラペット上部材１０の下端部１０ｂは外側へ屈曲されており、庇パラペット第１下部材２１の中間部分２１ｃの上部２１０ｃに重なるように形成されている。
【００３２】
次に、庇パラペットの交換方法を説明する。図５は、庇パラペットの交換方法を示すフローチャートである。この庇パラペットの交換方法では、ステップＳ１で既存の庇パラペット１１０の取り外しを行う。続いて、ステップＳ２で庇パラペット下部材２０の仮取り付けを行い、ステップＳ３で庇パラペット下部材２０の取り付け位置の調整を行う。続いて、ステップＳ４で庇パラペット下部材２０の本取り付けを行い、最後にステップＳ５で庇パラペット上部材１０の取り付けを行う。以下に各ステップの具体的な内容について説明する。
【００３３】
（ステップＳ１：庇パラペット１１０の取り外し）
既存の庇パラペット１１０（図２参照）を各固定ブラケット１０４から取り外す。さらに、隣接する庇パラペット１１０，１１０を接続しているジョイナー（図示せず）を取り外す。続いて、各アーム１０３や各固定ブラケット１０４の点検を行い、必要であれば補修を行う。
【００３４】
（ステップＳ２：庇パラペット下部材２０の仮取り付け）
まず、図６を用いて、庇パラペット下部材２０の取り付け場所の手順を説明する。最初に、図６の（ａ）に示すように、庇パラペット下部材２０を屋根１００の出隅に仮取り付けする。次に、図６の（ｂ）の黒塗りで示すように、庇パラペット下部材２０を屋根１００の入隅に仮取り付けする。最後に、図６の（ｃ）の黒塗りで示すように、庇パラペット下部材２０を残りの部分に仮取り付けする。
【００３５】
次に、図７を用いて、庇パラペット下部材２０の具体的な仮取り付け方法を説明する。最初に、図７の（ａ）→（ｂ）に示すように、庇パラペット下部材２０にジョイナー４０を奥まで差し込む。
【００３６】
続いて、図７の（ｂ）に示すように、各固定ブラケット１０４の前面１０４ａと底面１０４ｃに庇パラペット下部材２０を当てるとともに、位置調整部３０の仮止め用金具３１を前面１０４ａの上斜面１４１ａに当てて仮止め用ビス３２で仮止めをする。
【００３７】
（ステップＳ３：庇パラペット下部材２０の取り付け位置の調整）
図８に示すように、庇パラペット下部材２０からジョイナー４０を半分抜き出して、隣の庇パラペット下部材２０の左側に差し込む。
【００３８】
この状態で、仮止め用ビス３２を緩めたり締めたりしながら各庇パラペット下部材２０を左右に動かして、隣接する庇パラペット下部材２０，２０の目地Ｓの間隔が同じになるように各庇パラペット下部材２０の固定ブラケット１０４への取り付け位置を調整する。
【００３９】
さらに、各庇パラペット下部材２０を、仮止め用ビス３２を支点にして上下に動かして、隣接する庇パラペット下部材２０，２０の目地Ｓの並びが同じになるように各庇パラペット下部材２０の固定ブラケット１０４への取り付け位置を調整する。
【００４０】
（ステップＳ４：庇パラペット下部材２０の本取り付け）
図９に示すように、各庇パラペット下部材２０の庇パラペット第１下部材２１を、固定ブラケット１０４の前面１０４ａの上斜面１４１ａにブラインドリベット５０１で固定する。
【００４１】
さらに、各庇パラペット下部材２０の庇パラペット第２下部材２２の底部２２ｂの取り付け部２２ｃ（図７の（ｂ）参照）を、固定ブラケット１０４の底面１０４ｃ（図７の（ｂ）参照）にブラインドリベット５０２で固定する。
【００４２】
（ステップＳ５：庇パラペット上部材１０の取り付け）
図１０の（ａ）と（ｂ）に示すように、仮止め用金具３１から仮止め用ビス３２を外し、庇パラペット上部材１０に取り付け位置の目印Ｍを付ける。この目印Ｍの付け方には２つの方法がある。
【００４３】
第１の方法は、図１で示したカバー１０９がない場合である。この場合は、図１０の（ａ）に示すように、庇パラペット上部材１０の下端部１０ｂを、庇パラペット下部材２０の庇パラペット第１下部材２１の中間部分２１ｃの上部２１０ｃ（図３参照）に合わせる。
【００４４】
次に、庇パラペット上部材１０の左右端を庇パラペット下部材２０の左右端に揃えながら、庇パラペット上部材１０の上面１０ａで取り付け金具１４０と対応する位置にマーキングペンＰで目印Ｍを付ける。
【００４５】
第２の方法は、図１で示したカバー１０９がある場合である。図１０の（ｂ）に示すように、このカバー１０９は取り付け金具１４０の上に載せて配置されている。この場合は、カバー１０９に、取り付け金具１４０の取り付け位置と対応する位置にテープＴの一端側を貼る。
【００４６】
次に、庇パラペット上部材１０を庇パラペット下部材２０に仮組みしつつジョイナー４０に被せる。続いて、庇パラペット上部材１０の左右端を庇パラペット下部材２０の左右端に揃え、テープＴの他端側を庇パラペット上部材１０の上面１０ａに当て、マーキングペンＰで目印Ｍを付ける。
【００４７】
目印Ｍを付けたら、図１０の（ｃ）に示すように、庇パラペット上部材１０をジョイナー４０に被せるようにして庇パラペット下部材２０に組み付ける。続いて、目印Ｍに防水パッキン付ドリルネジ５０３を入れ、庇パラペット上部材１０の下端部１０ｂにブラインドリベット５０４を入れ、庇パラペット上部材１０を固定ブラケット１０４と庇パラペット下部材２０とジョイナー４０に固定する。これにより庇パラペット１が形成され、且つ、庇パラペット１が固定ブラケット１０４に取り付けられた状態になる。
【００４８】
以上説明したように本実施の形態では、庇パラペット１に、固定ブラケットへの取り付け位置を調整する位置調整部３０を設けた。このため、庇パラペット１を固定ブラケット１０４に取り付ける際には位置調整部３０で取り付け位置を調整することにより、隣接する庇パラペット１，１の目地Ｓの間隔や並びにばらつきが生じるのが抑えられる。よって、本実施の形態の庇パラペット１および庇パラペット１の交換方法は、軒先の外観品質を向上させることができる。
【００４９】
また、本実施の形態の庇パラペット１では、位置調整部３０を、庇パラペット１を固定ブラケット１０４に取り付ける部分（庇パラペット上部材１０、庇パラペット下部材２０）と別体にした。これにより、庇パラペット１を取り付け位置が調整された状態で固定ブラケット１０４に確実に取り付けることが可能になる。したがって、隣接する庇パラペット１，１の目地Ｓの間隔や並びにばらつきが生じるのが確実に抑えられる。よって、本実施の形態の庇パラペット１は、軒先の外観品質をさらに向上させることができる。
【００５０】
また、本実施の形態の庇パラペット１では、上下に分割された庇パラペット上部材１０と庇パラペット下部材２０とから形成されたものを使用した。これにより庇パラペット１を固定ブラケット１０４に取り付ける際には、最初に庇パラペット下部材２０を固定ブラケット１０４に取り付け、次に庇パラペット上部材１０を固定ブラケット１０４に取り付けることが可能になる。よって、本実施の形態の庇パラペット１は、屋根という危険を伴う高所であっても取り付け作業を容易に行うことができる。
【００５１】
さらに、本実施の形態の庇パラペット１では、庇パラペット下部材２０に位置調整部３０を設けた。これにより、庇パラペット下部材２０の取り付け作業時に庇パラペット１の取り付け位置の調整も行うことが可能になる。よって、本実施の形態の庇パラペット１は、取り付け作業の作業効率を上げることができる。
【００５２】
さらに、本実施の形態の庇パラペット１では、庇パラペット上部材１０と庇パラペット下部材２０とで庇パラペット１を形成したときに、庇パラペット上部材１０で位置調整部３０の仮止め用金具３１を隠すようにしたので、軒先の外観品質をさらに向上させることができる。
【００５３】
以上、本発明にかかる実施の形態を例示したが、この実施の形態は本発明の内容を限定するものではない。また、本発明の請求項の範囲を逸脱しない範囲であれば、各種の変更等は可能である。
【００５４】
例えば、本実施の形態では、庇パラペットを、上下に分割された庇パラペット上部材と庇パラペット下部材とから形成されるものとしたが、一体に形成されるものでも良い。この場合でも、固定ブラケットへの取り付け位置を調整する位置調整部を設けることにより、軒先の外観品質を向上させることができる。
【００５５】
また、本実施の形態では、庇パラペット下部材に位置調整部を設けたが、庇パラペット上部材に位置調整部を設けても良いし、あるいは、庇パラペット上部材と庇パラペット下部材の双方に位置調整部を設けても良い。
【産業上の利用可能性】
【００５６】
以上説明したように本発明の庇パラペットおよび庇パラペットの交換方法は、軒先の外観品質を向上させることができる。したがって、本発明を、庇パラペットの交換に係る技術分野で十分に利用することができる。
【符号の説明】
【００５７】
１    庇パラペット
１０    庇パラペット上部材
２０    庇パラペット下部材
３０    位置調整部
１０２    梁
１０３    アーム
１０４    固定ブラケット
１１０    既存の庇パラペット
【図１】
2015190118.tif 000003
【図２】
2015190118.tif 000004
【図３】
2015190118.tif 000005
【図４】
2015190118.tif 000006
【図５】
2015190118.tif 000007
【図６】
2015190118.tif 000008
【図７】
2015190118.tif 000009
【図８】
2015190118.tif 000010
【図９】
2015190118.tif 000011
【図１０】
2015190118.tif 000012